(57)【特許請求の範囲】
【請求項１】
トレイを持ち上げる作業に用いるトレイ把持具において、
このトレイ把持具は、作業者が片手で握ることができるグリップ部材と、このグリップ部材の両端から下げられた立ち下がり部材と、この立ち下がり部材の下端にヒンジピンを介して揺動自在に連結された揺動部材と、この揺動部材の先端に設けられ前記トレイに係合するフック部と、このフック部が前記トレイに向かうように前記揺動部材を付勢するばね部材と、前記揺動部材の基部から前記立ち下がり部材に沿って立ち上げた立ち上がり部と、前記グリップ部材の外にて前記一対の立ち上がり部に掛け渡され、作業者が手で前記グリップ部材へ引き寄せることで前記一対の立ち上がり部が接近して前記フック部を前記トレイから外す可撓部材とからなり、
前記可撓部材は、前記ヒンジピンから所定の距離だけ離れた前記立ち上がり部の上部に接続されていることを特徴とするトレイ把持具。
【発明の詳細な説明】
【技術分野】
【０００１】
本発明は、片手でトレイを持ち上げて運搬することができるトレイ把持具の改良に関する。
【背景技術】
【０００２】
矩形で底が浅いトレイは、小物部品の収納、運搬に適しており、広く利用されている。一般の作業では、作業者がトレイの縁に両手を掛けて持ち上げ、運搬する。しかし、一方の手が塞がっているなどの理由から、片手でトレイを運ぶ必要が生じることがある。この場合には、片手でトレイを把持することができる治具（吊具）が便利であり、この種の吊具が提案されている（例えば、特許文献１参照。）。
【特許文献１】実用新案登録第３０２９７４２号公報（図１）
【０００３】
特許文献１を図５及び図６に基づいて説明する。
図５は従来の吊具をトレイに取り付けるときの手順を説明する図であり、（ａ）に示すように、片方の手１０１に吊具１０２を持ち、トレイ１０３の縁部１０４に第１のフレーム１０５を介して係止爪１０６を引掛ける。
【０００４】
次に（ｂ）に示すように、親指１０７で第２のフレーム１０８の上面を押さえながら人差し指１０９を第２のフレーム１０８の下面に当てる。次に、第２のフレーム１０８をピン１１０を支点に矢印（１）の方向へ揺動させる。この結果、係止爪１０６と係止爪１１１との間隔がトレイ１０３の幅よりも広くなる。
【０００５】
次に（ｃ）に示すように、係止爪１０６と係止爪１１１との間隔がトレイ１０３の幅よりも広い状態を維持したまま、吊具１０２全体を矢印（２）の方向に移動させ、第２のフレーム１０８の係止爪１１１をトレイ１０３の縁部１０４に対応する位置まで下げる。
【０００６】
図６は従来の吊具でトレイを吊るまでの手順を説明する図であり、（ａ）に示すように、親指１０７と人差し指１０９を第２のフレーム１０８から離す。すると、第２のフレーム１０８はピン１１０を支点に回転可能に連結されているので自重により矢印（３）のように揺動し、係止爪１１１は矢印（４）のように動いてトレイ１０３の縁部１０４に突き当たる。
【０００７】
次に、（ｂ）に示すように、手１０１を引き上げれば、係止爪１０６、１１１はトレイ１０３の縁部１０４に引掛かる。第１のフレーム１０５と第２のフレーム１０８にはトレイ１０３の重量がかかり、係止爪１０６と係止爪１１１が接近する方向のモーメントが働くが、第２のフレームの揺動は制限されるので、２本のフレームのアーチ形状が維持されてトレイ１０３が持ち上がる。
【０００８】
ところで、図５（ｂ）で示したように、親指１０７と人差し指１０９とで第２のフレーム１０８を揺動させる作業が必須となる。この作業は、ピン１１０より図左に親指１０７と人差し指１０９とを置き、ピン１１０より図右に残りの指を置く必要がある。握り位置が不適当なときには握り位置を修正する必要がある。
【０００９】
不慣れな作業者、すなわち未熟練の作業者にとっては使い勝手が悪く、作業性がよいとは言えない。
未熟練の作業者でも容易に作業が行える、使い勝手の良い治具が望まれる。
【発明の開示】
【発明が解決しようとする課題】
【００１０】
本発明は、未熟練の作業者でも容易に作業が行える、使い勝手の良いトレイ把持具を提供することを課題とする。
【課題を解決するための手段】
【００１１】
請求項１に係る発明は、トレイを持ち上げる作業に用いるトレイ把持具において、このトレイ把持具は、作業者が片手で握ることができるグリップ部材と、このグリップ部材の両端から下げられた立ち下がり部材と、この立ち下がり部材の下端にヒンジピンを介して揺動自在に連結された揺動部材と、この揺動部材の先端に設けられ前記トレイに係合するフック部と、このフック部が前記トレイに向かうように前記揺動部材を付勢するばね部材と、前記揺動部材の基部から前記立ち下がり部材に沿って立ち上げた立ち上がり部と、前記グリップ部材の外にて前記一対の立ち上がり部に掛け渡され、作業者が手で前記グリップ部材へ引き寄せることで前記一対の立ち上がり部が接近して前記フック部を前記トレイから外す可撓部材とからなり、前記可撓部材は、前記ヒンジピンから所定の距離だけ離れた前記立ち上がり部の上部に接続されていることを特徴とする。
【発明の効果】
【００１２】
請求項１に係る発明では、一方の手で可撓部材をグリップ部材に引き寄せると一対のフック部が離れ、把持可能になる。次に、手から可撓部材を放すと一対のフック部が接近しトレイを把持する。手全体で可撓部材を引き寄せる動作と放す動作を行うだけなので、未熟練の作業者でも容易に作業が行える。
また、この引き寄せには、人差し指、中指、薬指、小指を使うことができる。手を全体的に使用することができるため、操作には格別に大きな力を要しない。そのため、トレイ把持具は、非力な作業者であっても、取扱いが可能となる。
【発明を実施するための最良の形態】
【００１３】
本発明を実施するための最良の形態を添付図に基づいて以下に説明する。なお、図面は符号の向きに見るものとする。
図１は本発明に係るトレイ把持具の斜視図であり、トレイ把持具１０は、作業者が片手で握ることができるグリップ部材１１と、このグリップ部材１１の両端から下げられた立ち下がり部材１２、１２と、これらの立ち下がり部材１２、１２の下端に設けられたヒンジピン１３、１３と、これらのヒンジピン１３、１３介して揺動自在に連結された揺動部材１４、１４と、これらの揺動部材１４、１４の先端に設けられトレイに係合するフック部１５、１５と、これらのフック部１５、１５がトレイに向かうように前記揺動部材１４、１４を付勢するばね部材１６、１６と、前記揺動部材１４、１４の基部１７、１７から前記立ち下がり部材１２、１２に沿って立ち上げた立ち上がり部１８、１８と、前記一対の立ち上がり部１８、１８に掛け渡され、作業者が手で前記グリップ部材１１へ引き寄せることで前記立ち上がり部１８、１８が接近して前記フック部１５、１５をトレイから外す可撓部材１９とからなる。
【００１４】
図２は図１の２−２線断面図であり、グリップ部材１１の一端から立ち下げられた立ち下がり部材１２にヒンジピン１３が支持されており、このヒンジピン１３に揺動自在に揺動部材１４が支持されている。この揺動部材１４は、可撓部材１９で図右へ引かれると矢印（５）のように揺動する。また、揺動部材１４は、可撓部材１９を緩めると、ばね部材１６の作用で、矢印（６）のように揺動する。
【００１５】
可撓部材１９は、樹脂製ワイヤ、金属糸を編んでなるワイヤ、繊維を編んだ紐の何れでもよく、可撓性に富む線状部材であれば、種類は任意である。
また、ばね部材１６は、トーションばね（ねじりばね）が好適であるが、圧縮ばね、引っ張りばねであってもよい。
【００１６】
以上の構成からなるトレイ把持具１０の作用を次に述べる。
図３はトレイ把持具でトレイを把持する工程を説明する図であり、（ａ）に示すように、トレイ把持具１０をテーブル２３の上に置いた状態では、一対の立ち上がり部１８、１８は接近しておらず、フック部１５、１５間の距離が小さいため、トレイを把持できる状態になっていない。
【００１７】
（ｂ）に示すように、片方の手２２でグリップ部材１１を持ち上げて可撓部材１９を引き寄せると、立ち上がり部１８、１８が接近し、フック部１５、１５間の距離がトレイ２５の幅よりも大きくなる。このフック部１５、１５間の距離がトレイ２５の幅よりも大きい状態を維持したまま、トレイ把持具１０を矢印（７）のように、トレイ２５に向かわせる。
【００１８】
次に（ｃ）に示すように、手２２から可撓部材１９を放し、揺動部材１４、１４を矢印（８）、（８）のように揺動させ、フック部１５、１５を縁部２６に引っ掛ける。
【００１９】
図４はトレイ把持具からトレイを外す工程を説明する図であり、（ａ）に示すように、手２２でグリップ部材１１を握り、トレイ２５を運搬する。
【００２０】
トレイ２５からトレイ把持具１０を外すには、（ｂ）に示すように、トレイ２５をテーブル２４の上に置き、手２２でグリップ部材１１に可撓部材１９を引き寄せると、立ち上がり部１８、１８が接近し、フック部１５、１５間の距離がトレイ２５の幅よりも大きくなる。このフック部１５、１５間の距離がトレイ２５の幅よりも大きい状態を維持したまま、トレイ把持具１０を矢印（９）のように移動させると、トレイ把持具１０からトレイ２５が外れる。
【００２１】
図４（ｂ）でトレイ把持具１０の取り外し操作を説明し、図３（ｂ）、（ｃ）でトレイ把持具１０の取付け操作を説明したが、何れも可撓部材１９をグリップ部材１１に引き寄せるだけで済む。引き寄せ操作は、単純であり、未熟練の作業者でも容易に操作が可能である。
【００２２】
また、この引き寄せには、人差し指、中指、薬指、小指を使うことができる。手を全体的に使用することができるため、操作には格別に大きな力を要しない。そのため、トレイ把持具１０は、非力な作業者であっても、取扱いが可能となる。
【００２３】
尚、本発明が把持対象とするトレイは、底の浅い矩形箱の他、底の深い箱、底の丸い容器であってもよく、要は、フック部１５、１５を掛けることができる縁が、上端に備わっている箱又は容器であれば、形状は任意である。
また、グリップ部材は、片手で操作可能であるが、両手で操作することは差し支えない。
【００２４】
本発明のトレイ把持具は、片手でトレイを持ち上げる作業に使用する器具に好適である。
【図面の簡単な説明】
【００２５】
【図１】本発明に係るトレイ把持具の斜視図である。
【図２】図１の２−２線断面図である。
【図３】トレイ把持具でトレイを把持する工程を説明する図である。
【図４】トレイ把持具からトレイを外す工程を説明する図である。
【図５】従来の吊具をトレイに取り付けるときの手順を説明する図である。
【図６】従来の吊具でトレイを吊るまでの手順を説明する図である。
【符号の説明】
【００２６】
１０…トレイ把持具、１１…グリップ部材、１２…立ち下がり部材、１３…ヒンジピン、１４…揺動部材、１５…フック部、１６…ばね部材、１７…基部、１８…立ち上がり部、１９…可撓部材、２２…手。
【図１】
0004726880.tif 000002
【図２】
0004726880.tif 000003
【図３】
0004726880.tif 000004
【図４】
0004726880.tif 000005
【図５】
0004726880.tif 000006
【図６】
0004726880.tif 000007